(57)【要約】      （修正有）【課題】移動電話機のような第１通信装置を、電話機のような少なくとも１つの別の通信装置と共に使用するための方法を提供する。【解決手段】オーディオ信号を第１通信装置２で再生し、同一オーディオ信号を別の通信装置２７へ送信し、そのオーディオ信号をその別の通信装置２７内で再生する、以上のステップを含む方法。第１通信装置内で再生されたオーディオ信号を別の装置に送信し、それらをそこで再生することにより、共有聴取が実現され、この方法により通信装置がまた例えば音楽を共有して聴取するためにも使用できる。従って異なる場所に居る２人の人間が同一オーディオ信号を同時またはほぼ同時に聴くことが可能となる。【選択図】図３
2010283868.tif 000002
【特許請求の範囲】
【請求項１】
第１通信装置（２）を少なくとも１つの別の通信装置（２７）と共に使用するための方法であって：前記第１通信装置（２）内でオーディオ信号を再生し、同一オーディオ信号を別の通信装置（２７）に送信し、前記オーディオ信号を別の通信装置（２７）内で再生する、以上のステップを含むことを特徴とする、前記方法。
【請求項２】
請求項１記載の方法において、前記第１通信装置（２）が移動電話機であることを特徴とする、前記方法。
【請求項３】
請求項２記載の方法において、少なくとも１つの別の通信装置（２７）が電話機であることを特徴とする、前記方法。
【請求項４】
請求項３記載の方法が更に、ネットワーク（２８）を通して、移動電話機（２）と別の電話機（２７）との間に接続を確立し、音声信号をネットワーク（２８）の接続内のチャンネルを通して送信することにより、電話による会話を確立し、前記オーディオ信号を移動電話機（２）から別の電話機（２７）にネットワーク内の接続を通して送信する、以上のステップを含むことを特徴とする、前記方法。
【請求項５】
請求項４記載の方法が更に、前記音声信号と前記オーディオ信号とを混合し、混合された音声およびオーディオ信号を移動電話機（２）から別の電話機（２７）にネットワーク（２８）の接続内の共通チャンネルを通して送信する、以上のステップを含むことを特徴とする、前記方法。
【請求項６】
請求項５記載の方法において、共通チャンネルが電話音声チャンネルであることを特徴とする前記方法。
【請求項７】
請求項５記載の方法において、共通チャンネルがデータチャンネルであることを特徴とする前記方法。
【請求項８】
請求項４記載の方法が更に、音声信号をネットワーク（２８）の接続内の通常電話機音声チャンネルを通して送信し、前記オーディオ信号を移動電話機（２）から別の電話機（２７）へ、ネットワークの接続内の前記音声チャンネルに並列のデータチャンネルを通して送信する、以上のステップを含むことを特徴とする、前記方法。
【請求項９】
請求項３記載の方法が更に、ネットワークを通して、移動電話機（２）と別の電話機（２７）との間に接続を確立し、音声信号をネットワーク（２８）の接続内のチャンネルを通して送信することにより、電話による会話を確立し、前記オーディオ信号をサーバープロバイダ（３５）からネットワーク（２８）を経由して移動電話機（２）に送信し、同一オーディオ信号をサービスプロバイダからネットワークを経由して別の電話機（２７）に送信する、以上のステップを含むことを特徴とする、前記方法。
【請求項１０】
請求項７乃至９のいずれか１つに記載の方法において、前記オーディオ信号がディジタル化され圧縮されたオーディオファイルの形式で送信されることを特徴とする、前記方法。
【請求項１１】
請求項１０記載の方法において、ディジタル化され圧縮されたオーディオファイルがＭＰ３フォーマットで圧縮されていることを特徴とする、前記方法。
【請求項１２】
第１通信装置（２）と少なくとも１つの別の通信装置（２７）とを含む通信システムであって：前記第１通信装置（２）内でオーディオ信号を再生し、同一オーディオ信号を別の通信装置（２７）に送信し、前記オーディオ信号を別の通信装置（２７）内で再生する、ように適合されていることを特徴とする、前記システム。
【請求項１３】
少なくとも１つの別の通信装置（２７）を含む通信システム内で使用されるのに適合した通信装置（２）であって、オーディオ信号を再生するための手段（２９）と、同一オーディオ信号を別の通信装置へ、前記オーディオ信号がその別の通信装置内で再生できるように、送信を開始するための手段（８）とを含むことを特徴とする、前記通信装置。
【請求項１４】
請求項１３記載の通信装置において、通信装置（２）が移動電話機であることを特徴とする、前記通信装置。
【請求項１５】
請求項１４記載の通信装置において、移動電話機が、ＧＳＭ，ＧＰＲＳ，ＥＤＧＥまたはＷＣＤＭＡの様な公衆ネットワーク内で使用されるのに適合していることを特徴とする、前記通信装置。
【請求項１６】
請求項１３記載の通信装置において、通信装置がブルートゥースまたは赤外線接続のような無線ショートリンク内で使用されるのに適合していることを特徴とする、前記通信装置。
【請求項１７】
請求項１３乃至１６のいずれかひとつに記載の通信装置において、オーディオ信号を再生するための手段が、通信装置内に統合されているオーディオ装置であることを特徴とする、前記通信装置。
【請求項１８】
少なくとも１つの別の通信装置（２７）を含む通信システム内で使用されるのに適合した第１通信装置（２）と接続して使用するためのアクセサリ装置（８）であって、第１通信装置（２）を通してオーディオ信号を再生するための手段（２９）と、同一オーディオ信号を別の通信装置（２７）へ、前記オーディオ信号がその別の通信装置（２７）内で再生できるように、送信を開始するための手段（８）とを含むことを特徴とする、前記通信装置。
【発明の詳細な説明】
【技術分野】
【０００１】
本発明は第１通信装置を、少なくとも１つの別の通信装置と共に使用する方法に関する。本発明は更に第１通信装置と少なくとも１つの別の通信装置；少なくとも１つの別の通信装置を含む通信システム内で使用されるのに適した通信装置；少なくとも１つの別の通信装置を含む通信システム内で使用されるのに適した第１通信装置と関連して使用するためのアクセサリ装置、とを含む通信システムに関する。
【背景技術】
【０００２】
例えばオーディオカセットまたはコンパクトディスク（ＣＤ）と共に使用する携帯型再生装置は長年に渡って知られておりまた広く使用されているが、それは使用者が何処ででもまた移動中でも音楽またはその他のオーディオ情報を聴くことを可能とするからである。
【０００３】
今日、ディジタル化されたオーディオ信号を大幅に圧縮するための種々の異なる方法もまた知られており、この状況は制限されたサイズの携帯型記憶媒体、例えばメモリ・カードでもかなりな量のオーディオ情報を格納できるということを示している。従って、そのような記憶媒体用の携帯型再生装置もまた利用できるようになっている。一例としてＭＰ３フォーマットのオーディオファイルに対応した携帯型再生装置をあげることができる。
【０００４】
米国特許第５８４１９７９号は携帯型ディジタル式オーディオ格納ならびに再生装置を開示しており、これはディジタル化され圧縮されたオーディオファイルを受け取り、格納し、Ｄ／Ａ変換し、そして再生するためのものである。圧縮されたオーディオファイルは通常の可聴再生速度の少なくとも２倍の転送速度で受信される。同様の装置が米国特許第５９１４９４１号で知られており、この特許はプログラム部材が取り外し可能なディジタル・データ格納カートリッジ、またはケーブルＴＶまたは同様の信号源からの電子式データ転送のいずれかを介して獲得できることに言及している。
【先行技術文献】
【特許文献】
【０００５】
【特許文献１】米国特許第５８４１９７９号
【発明の概要】
【発明が解決しようとする課題】
【０００６】
しかしながらこれらの装置はオーディオ情報の再生に特定して使用されるよう設計されている。多くの使用者はこれらの装置が実行することのできないその他の機能も必要としており、従ってこれらの使用者は彼らの要求を満たすために別の装置も持ち運ばなければならない。
【０００７】
また、例えばＷＯ９９／０３２９４号から、共通ヘッドセットをオーディオ装置と無線電話機の形式の通信装置の間で共有することが知られており、電話機が使用されている時にはヘッドセットが電話での会話用に使用され、電話機が使用されていない時にはオーディオ装置に切り替えられるようにされている。オーディオ装置および電話機はまた、共通のハウジングを単一装置として共有しており、これは２つの個別の装置を別々に持ち運ぶよりもより簡単で軽量である。オーディオ装置は公共オーディオ放送プログラムの受信機、またはコンパクトディスク再生機またはカセット再生機のいずれかである。
【０００８】
従ってこの既知の装置は使用者が、同一装置を会話相手との通信用に、または例えば音楽のようなオーディオ信号を聴くために使用することが出来るようにする。しかしながら多くの使用者は例えば電話での会話中にオーディオ信号を聴けて、会話相手も同じオーディオ信号を同時にまたは少なくともほぼ同時に聴けるように出来れば良いと希望したり、会話は無しで他の人と一緒に聴けることだけを希望することも多い。今日オーディオを共有して聴くことは音響的にのみ可能である、すなわちオーディオ信号はオーディオ・スピーカで再生されてその音が電話機のマイクロフォンに結合され、続いて他の人へ音声会話信号の一部として送信される。
【０００９】
従って、本発明の１つの目的は上記の型式の通信方法を提供し、別々の場所に存在する２人が同一のオーディオ信号を同時に、またはほぼ同時に聴くことを可能とすることである。
【課題を解決するための手段】
【００１０】
本発明によれば、これは第１通信装置内でオーディオ信号を再生し、同じオーディオ信号を別の通信装置に送信し、そして前記オーディオ信号をその別の通信装置内で再生する、のステップを含む方法で実現される。
【００１１】
第１通信装置内で再生されたオーディオ信号を別の装置に送信し、そこでそれらを再生することにより、オーディオを一緒に聴くことが実現され、この方法で通信装置が例えば音楽を一緒に聴くためにも使用できる。
【００１２】
この方法は任意の型式の通信装置で使用できるが、特許請求項２および３で述べられている好適な実施例は、第１通信装置が移動電話機で、少なくとも１つの別の通信装置が電話機の時に実現される。
【００１３】
特許請求項４に述べられているように、この方法が更にネットワークを介して移動電話機と他の電話機との間で接続を確立し、音声信号をネットワーク内の接続内のチャンネルを通して音声信号を送信することで電話会話を確立し、前記オーディオ信号を移動電話機から別の電話機にネットワーク内の接続を通して、すなわち音声会話信号の送信用、オーディオ信号の送信用に確立された接続を用いて送信するステップを含む時、１つの解決策が得られ、この中で送信および他の電話機内でのオーディオ信号の再生は第１通信装置、すなわち移動電話機から制御できる。
【００１４】
特許請求項５に記載されているように、この方法は更に前記音声信号と前記オーディオ信号とを混合し、混合された音声およびオーディオ信号を移動電話機から他の電話機へネットワークの接続内の共通チャンネルを通して送信するステップを含み、此処ではオーディオ信号用に特別な送信容量を必要とすることなく１つの解決が得られる。この共通チャンネルは特許請求項６に記載されているように通常の電話音声チャンネルであっても構わないし、または特許請求項７に記載されているようにデータ・チャンネルであっても構わない。
【００１５】
これに代わって、特許請求項８に記載されているように、この方法が音声信号をネットワークの接続内の通常電話音声チャンネルを通して送信し、前記オーディオ信号を移動電話機から他の電話機へネットワークの接続内の前記音声チャンネルと並列のデータ・チャンネルを通して送信するステップを含む場合もある。これは送信中にオーディオ信号を音声会話信号と別に取り扱うことを可能とするので、２つの型式の信号送信を最適化する。
【００１６】
特許請求項９に記載されている、別の実施例ではこの方法は更にネットワークを通して移動電話機と他の電話機との間で接続を確立し、音声信号をネットワークの接続内のチャンネルを通して送信することで電話会話を確立し、前記オーディオ信号をサービス・プロバイダからネットワークを経由して移動電話機へ送信し、同じオーディオ信号をサービス・プロバイダからネットワークを経由して他の電話機へ送信するステップを含む。この方法では２台の電話機の間で特別な信号を送信する必要は無い。
【００１７】
特許請求項１０に記載されている本発明の好適な実施例では、オーディオ信号はディジタル化され圧縮されたオーディオファイルの形式で送信される。オーディオ信号を送信するためにデータ・チャンネルが使用されているこれらの事例では、この実施例は必要な送信容量を大幅に削減する。特許請求項１１に記載されているように、ディジタル化され圧縮されているオーディオファイルはＭＰ３フォーマットで圧縮されており、これは広範に使用されていて効率的な圧縮フォーマットである。
【００１８】
先に述べたように、本発明は第１通信装置と少なくとも１つの別の通信装置とを含む通信システムに関する。特許請求項１２に記載されているように、このシステムが前記第１通信装置内でオーディオ信号を再生し、同一のオーディオ信号を別の通信装置に送信して、前記オーディオ信号を別の通信装置内で再生するように適合されている場合、その方法に関して先に述べたのと同様の特長を有するシステムが得られる。
【００１９】
先に述べたように、本発明は更に少なくとも１つの別の通信装置を含む通信装置内で使用されるのに適した通信装置に関する。特許請求項１３に記載されているように、該装置がオーディオ信号を再生するための手段と、同一のオーディオ信号を別の通信装置に送信開始して、前記オーディオ信号が別の通信装置内で再生できるようにするための手段とを含む時、先に述べた特長を提供する装置が実現される。
【００２０】
特許請求項１４に記載されているように、この通信装置は移動電話機が考えられる、また特許請求項１５に際されている好適な実施例では、この移動電話機は、ＧＳＭ，ＧＰＲＳ，ＥＤＧＥまたはＷＣＤＭＡの様な公衆ネットワーク内で使用するのに適したものである。
【００２１】
これに代わって、特許請求項１６に記載されているように、この通信装置はブルートゥースまたは赤外線接続の様な無線ショートリンク内で使用するのに適合されている。
【００２２】
オーディオ信号を再生するための手段が、カセット・プレーヤまたは同様の通信装置に接続可能な個別装置でも構わないが、特許請求項１７に記載されているようにオーディオ信号を再生するための手段が通信装置内に組み込まれたオーディオ装置の時に、好適な実施例が得られる。
【００２３】
先に述べたように、本発明は更に少なくとも１つの別の通信装置を含む通信システム内で使用されるのに適した、第１通信装置と接続して使用するためのアクセサリ装置に関する。特許請求項１８に記載されているように、このアクセサリ装置がオーディオ信号を第１装置を通して再生するための手段と、同じオーディオ信号を別の通信装置に送信開始し、前記オーディオ信号が別の通信装置内で再生できるようにするための手段とを含むとき、第１通信装置と組み合わされて上記の特長を与える装置が実現される。
【図面の簡単な説明】
【００２４】
【図１】図１はセルラ電話機が如何にしてオーディオ再生にも使用できるかの１例を示す。
【図２】図２はセルラ電話機が如何にしてオーディオ再生にも使用できるかの別の例を示す。
【図３】図３は共有オーディオ聴取の第１実施例を示す。
【図４】図４は共有オーディオ聴取の第２実施例を示す。
【図５】図５は電話機が接続されているネットワークを通してのオーディオファイルのダウンロードを示す。
【図６】図６は共有オーディオ聴取の第３実施例を示す。
【発明を実施するための形態】
【００２５】
次に本発明を、添付図を参照して以下に更に詳しく説明する。
【００２６】
図１は携帯型ハンズフリーおよびハイファイ・オーディオ・ステレオ再生と組み合わされたセルラ電話機２を与えるためのシステム１の例を示す。この例の中で、電話機２はＧＳＭ電話機、そしてその組込型アンテナを通して電話機はＧＳＭネットワーク１４に接続されたＧＳＭ基地局１６と通信する。他の基地局例えば基地局１７、および他のＧＳＭ電話機例えば電話機１８もまたネットワーク１４に接続されるように図示されている。従って、電話機２は他の電話機と双方向通信を行う他の通常ＧＳＭ電話機のように使用できる。
【００２７】
図の中で、プラグイン装置８の形式のアクセサリ装置が電話機２に電気的に電話機の底端に接続されている。ヘッドセット１０形式の音響再生ユニットがアクセサリ装置８に接続されているが、このヘッドセットは同様に電話機２に直接接続することも可能である。更に、装置８はメモリカードまたはマルチメディアカード７の形式の携帯型記憶媒体を挿入するためのスロットを有し、この記憶媒体上には例えばＭＰ３フォーマットのディジタル化され圧縮されたオーディオファイルが格納されている。アクセサリ装置８は圧縮されたオーディオファイルを伸長または復号し、結果として生成されたオーディオ信号をヘッドセット１０を通して再生するように適合されている。
【００２８】
アクセサリ装置８の機能を同様にセルラ電話機２の中に統合して、電話機と同様に上記また以下に説明する機能を含む単一装置とすることが可能であることに注意されたい。
【００２９】
オーディオコンテンツ（例えば音楽）がヘッドセットで再生中に電話呼び出しが発生すると、オーディオ再生は一時停止されるかソフトにされる、すなわち会話が継続されている間、音響レベルが落とされる。会話中に受信された音声信号が、その呼が入る前まではカード７上に格納されていたオーディオファイルを再生するために使用されていたヘッドセット内で再生される。会話が終了すると、オーディオ再生が再開される。
【００３０】
アクセサリ装置８はまた制御および監視用電子機器も含むが、マンマシン・インタフェース（ＭＭＩ）は有さず、それはこの部分が電話機（表示装置およびキーボード）の、例えばいわゆるダイナミック・メニューによって面倒を見られるからである。電話機２およびアクセサリ装置８はシリアルリンク上でアクティブ通信を有する。アクセサリ装置８は市場のほとんどのハイファイ・ヘッドセットを駆動することが可能であり、マイクロフォン信号をアップリンク音声パスへ回送する事もまた同様にダウンリンク音声をＧＳＭネットワークからヘッドセットへ回送することも可能である。
【００３１】
先に説明したように、ＭＰ３オーディオファイルはアクセサリ装置８に、例えばアクセサリ装置８内のスロットに挿入されたマルチメディア・カードを経由して配信される。現在のＭＭＣは３２ＭＢのフラッシュ・メモリを有し、これは約３０分のハイファイ音楽または数時間に渡る高品質音声オーディオに相当する。
【００３２】
図はまた、如何にして圧縮されたオーディオファイルがカード７の中に得られるかを示している。圧縮されたオーディオファイルのサービス・プロバイダに属する専用サーバ１３がインターネット１２に接続されており、またオーディオコンテンツはインターネットから妥当な早さの、有線リンクを経由してパーソナルコンピュータ３にダウンロードされる。コンピュータ３からこのファイルはカード７にアダプタ６を経由し、パーソナルコンピュータの画面上で通常のドラッグ・アンド・ドロップ操作を用いて手渡される。これに代わって、コンテンツがネットワークからカード上に自動的に転送されることも可能である。このパーソナルコンピュータはインターネットに通常モデムまたはより高速なイーサネット（登録商標）・ラインを介して接続されている。
【００３３】
圧縮されたオーディオファイルはまたパーソナルコンピュータ内でインターネットからダウンロードすることなく生成できる。図示されるように、コンパクトディスク４がコンピュータのスロットの中に挿入され、続いてＭＰ３コンテンツはパーソナルコンピュータ３内のＣＤフォーマットから、特殊ソフトウェアにより変換して得られる。この処理過程はまた「リッピング（ripping）」として知られている。
【００３４】
アダプタ６は市場にある任意のＭＭＣアダプタが可能であり、パーソナルコンピュータにＲＳ−２３２Ｃポート、ディスケットポート、ＰＣカードポート、パラレルポートまたはＵＳＢポートを通して接続されている。
【００３５】
この例の中では電話機および対応するネットワークはＧＳＭ型式であるが、もちろんその他のセルラシステム（例えばＷＣＤＭＡ）も同様に使用できる。
【００３６】
図２はオーディオ情報を電話機２またはアクセサリ装置８に得るための代替手法を図示する。無線ショートリンク、例えばブルートゥースまたは赤外線用受信機２３が電話機２に、ディジタル化され圧縮されたオーディオファイル、例えばＭＰ３フォーマットを受信するために接続されている。その上にディジタル化され圧縮されたオーディオファイルが格納されている、例えば３２Ｍバイトのフラッシュメモリ形式の記憶媒体が組み込み方式または取り外し可能な形式で装置８に接続されている。オーディオファイルは図１に示されているのと同様の方法でパーソナルコンピュータ３にダウンロードされるが、そのオーディオファイルはコンピュータから無線ショートリンク送信機２０に、パーソナルコンピュータの画面上のドラッグアンドドロップ操作を用いて受け渡される。これに代わって、そのコンテンツをネットワークから送信機に自動的に転送することも可能である。パーソナルコンピュータはインターネットに通常モデムまたはより高速なイーサネット（登録商標）ラインを経由して接続されている。
【００３７】
送信機２０と受信機２３間の無線ショートリンク通信の代わりに、有線通信も同様に使用できる。
【００３８】
ディジタル化され圧縮されたオーディオファイルを組み込み型、または取り外し可能記憶媒体の中に格納する代わりに、オーディオコンテンツを「ストリームダウン」することも可能であり、これはオーディオ信号が連続的に受信、解凍されて再生されることを意味する。この場合記憶媒体は不要である。
【００３９】
先に説明されていない図２の部分は、図１のそれらと同じである。
【００４０】
図１および図２は、如何にして移動電話機２がオーディオ信号の再生用にも使用され、例えば電話を使用していない時に音楽を聴いたり、または電話中にでさえバックグラウンドとして使用者が聞くことができるかを図示している。しかしながら多くの使用者はまたオーディオ聴取を彼らの会話相手と電話中に共有したり、または会話無しで他の人と聴取のみを共有できるように望んでいる。
【００４１】
図３はこれが実現される方法の１例を示している。使用者２５は他の人２６と電話で会話をしている。移動電話機２およびアクセサリ装置８は図１および図２のそれらに対応するが、他の人２６に使用されている電話機２７は任意の型式の電話機、移動電話機またはそれ以外で構わない。２台の電話機２と２７とを接続しているネットワーク２８は図１および図２のＧＳＭネットワーク１４（基地局１６および１７を含む）を表しているが、互いに接続されたいくつかの異なるネットワークの組み合わせも可能であり、それは電話機２７が電話機２とは異なる型式の場合である。
【００４２】
アクセサリ装置８内のオーディオ再生ユニット２９は先に述べたようにオーディオ信号を生成する。アクセサリ装置８はまた２つの混合器３０および３１を含む。混合器３０は他の電話機２７から受信された音声会話信号がオーディオ再生ユニット２９からのオーディオ信号と混合され、使用者２５が両方の信号を同時に聴くことができるようにすることを保証している。一方、混合器３１はオーディオ再生ユニット２９からのオーディオ信号を使用者２５から入力される音声会話信号と組み合わせ、この組み合わされた信号は単独の音声会話信号に代わって移動電話機２に取り込まれる。移動電話機２の中では、組み合わされた信号は通常通り音声コーディックを通されて、通常の会話信号としてネットワーク２８を経由して他の電話機２７に送信され、この電話機の中で他の人２６に対して再生される。従ってこの人は、使用者２５から入力される音声信号と同様にオーディオ再生ユニット２９から入力されるオーディオ信号を聴取する事が可能である。この解決方法の特長は追加の送信容量がネットワーク内で不要であり、何らの修正変更を必要とすることなく使用できる事である。実際、混合器３１はオーディオ聴取共有機能を与えるために必要な唯一の追加構成要素である。
【００４３】
図４は代替解決方法を示す。オーディオ信号と音声会話信号を混合器３１内で混合する代わりに、オーディオ再生ユニット２９からのオーディオ信号が、全ネットワークを通して通常の音声チャンネルに並列の別のデータチャンネル上で他の電話機２７に送信される。電話機２７またはそれに接続されているアクセサリ装置３２の中でデータチャンネルおよび音声チャンネルは混合器３３内で結合されるので、人２６は両方の信号を聴くことが可能である。この場合オーディオ信号はディジタル化された形式で送信されるので、オーディオデータを送信前に圧縮する可能性が出てくる。これは必要な送信容量をかなり低減する。従ってアクセサリ装置３２または電話機２７はデータが混合器３３で音声信号と混合できるようにする前に、伸長または復号するための装置を含まなければならない。これらの装置は、例えばアクセサリ装置８内のオーディオ再生ユニット２９に類似のものである。好適な圧縮フォーマットはＭＰ３である。この解決方法の中で音声チャンネルを取り外し、音声をデータと同様に送信する事も可能である。この解決方法はまた音声会話無しで使用することも可能である、すなわち２人は同じオーディオ信号を互いに会話することなく聴くことができる。
【００４４】
図１および図２に代わるものが図５に示されている。オーディオファイルをパーソナルコンピュータを通して獲得する代わりに、既にセルラ電話機２で標準双方向通信用に使用されている無線公衆ネットワーク（すなわち提示例ではＧＳＭネットワーク）が、オーディオファイルを電話機に送信するためにも使用される。従ってネットワークはディジタル実時間音声会話と同様にインターネット非実時間オーディオ信号（音声、ニュース、天気予報、本等）のダウンロード用に使用される。ＧＳＭネットワーク（または他の型式のセルラネットワーク）を通してダウンロードされたオーディオファイルはインターネット１２に接続された専用サーバ１３から入力されるか、またはＧＳＭネットワークに直接接続されたＷＡＰサーバから入力される。後者の場合電話機はＷＡＰをサポートしていなければならない。
【００４５】
この解決方法の中で、ディジタル化され圧縮されたオーディオファイルは続いて伸長および再生するためにメモリ内に格納されるか、または先に説明したように「ストリームダウン」される。
【００４６】
この解決方法は好適に、比較的高いデータ送信速度を提供するネットワークと共に使用される。公衆無線ネットワーク内の高速リンクの帯域幅は、ハイファイ音楽でさえも妥当な時間でダウンロードすることを可能とする。１例としてＭＰ３ファイルは１２８ｋビット／秒を必要とする。ＥＤＧＥは３８４ｋビット／秒を提供し、これはトラック当たり６０秒に相当し、一方ＷＣＤＭＡは２Ｍビット／秒を提供し、これはコンパクトディスクのトラック当たり１２０秒に相当する。オンライン、すなわちストリーミングで聴くこともまた可能である。これは実際の移動体「オンデマンド」サービスを提供する。
【００４７】
オーディオ信号がサーバーから移動電話機にネットワークを通して図５に示されるようにダウンロードされる時、共有オーディオ聴取の異なる実施例が可能である。この実施例は図６に示されており、図から分かるようにサーバ３５は同一オーディオ信号を２台の電話機２および２７にダウンロードする。このダウンロードは使用者２５によって開始され、この使用者はまたサーバに対して同一データを他の電話機にも同様にダウンロードするように指令する。この場合、アクセサリ装置８はオーディオ信号を電話機２には送り返さず、混合器３０経由で使用者２５に送るのみである。図示されていないが、アクセサリ装置３２がオーディオ再生ユニット２９と類似のオーディオ再生装置を有する場合もある。サーバー３５から送信されたオーディオ信号は典型的に圧縮されており、ここでも好適な圧縮フォーマットはＭＰ３である。この解決方法でも音声チャンネルを取り外し、音声をデータと同様に送信する事が可能であることに注意されたい。この解決方法はまた音声会話無しで使用することも可能である、すなわち２人は同じオーディオ信号を互いに会話することなく聴くことができる。
【００４８】
最後に、上記の例の中でオーディオファイルの他の電話機２７への送信は、それらの電話機が接続されている公衆ネットワークを通して行われているが、異なる送信経路も使用できることに注意されたい。１例が図５に示されており、この中でＧＳＭ電話機２は他の電話機２とブルートゥースリンクを経由して通信している。これはオーディオファイルが電話機２にインターネットおよびＧＳＭネットワークを通してダウンロードされ、続いて電話機２から電話機２１にブルートゥースリンク経由で再送信されることを意味する。
【００４９】
本発明の好適な実施例を説明しかつ図示してきたが、本発明はこれらに限定されるものではなく、添付の特許請求の範囲内に定義されている主題の範囲内で、他の方法で実施することも可能である。
【図１】
2010283868.tif 000003
【図２】
2010283868.tif 000004
【図３】
2010283868.tif 000005
【図４】
2010283868.tif 000006
【図５】
2010283868.tif 000007
【図６】
2010283868.tif 000008
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
第１通信装置（２）を少なくとも１つの別の通信装置（２７）と共に使用するための方法であって：
ネットワーク（２８）を通して、前記第１通信装置（２）と前記別の通信装置（２７）との間に接続を確立し、
音声信号を前記ネットワーク（２８）の接続内の音声チャンネルを通して前記別の通信装置（２７）に送信し、
前記第１通信装置（２）内でオーディオ信号を再生し、
前記ネットワーク（２８）の接続内の前記音声チャンネルに並列のデータチャンネルを通して同一オーディオ信号を前記別の通信装置（２７）に送信し、
前記音声信号および前記オーディオ信号を別の通信装置（２７）内で再生する、
以上のステップを含むことを特徴とする、前記方法。
【請求項２】
第１通信装置（２）を少なくとも１つの別の通信装置（２７）と共に使用するための方法であって：
ネットワーク（２８）を通して、前記第１通信装置（２）と前記別の通信装置（２７）との間に接続を確立し、
音声信号を前記ネットワーク（２８）の接続内のデータチャンネルを通して前記別の通信装置（２７）に送信し、
前記第１通信装置（２）内でオーディオ信号を再生し、
前記ネットワーク（２８）の接続内の前記データチャンネルを通して同一オーディオ信号を前記別の通信装置（２７）に送信し、
前記音声信号および前記オーディオ信号を別の通信装置（２７）内で再生する、
以上のステップを含むことを特徴とする、前記方法。
【請求項３】
第１通信装置（２）を少なくとも１つの別の通信装置（２７）と共に使用するための方法であって：
ネットワーク（２８）を通して、前記第１通信装置（２）と前記別の通信装置（２７）との間に接続を確立し、
前記第１通信装置（２）内でオーディオ信号を再生し、
前記ネットワーク（２８）の接続内のデータチャンネルを通して同一オーディオ信号を前記別の通信装置（２７）に送信し、
前記オーディオ信号を別の通信装置（２７）内で再生する、
以上のステップを含むことを特徴とする、前記方法。
【請求項４】
請求項１乃至３のいずれか１つに記載の方法において、前記第１通信装置（２）が移動電話機であることを特徴とする、前記方法。
【請求項５】
請求項５記載の方法において、少なくとも１つの別の通信装置（２７）が電話機であることを特徴とする、前記方法。
【請求項６】
請求項１乃至５のいずれか１つに記載の方法において、前記オーディオ信号がディジタル化され圧縮されたオーディオファイルの形式で送信されることを特徴とする、前記方法。
【請求項７】
請求項６記載の方法において、ディジタル化され圧縮されたオーディオファイルがＭＰ３フォーマットで圧縮されていることを特徴とする、前記方法。
【外国語明細書】
2010283868000001.pdf